(57)【要約】【課題】放電状態を早く安定させること、放電状態安定後の発光効率を向上させることについて何ら考慮されていない点にある。【解決手段】第１ヒーター７１、第２ヒーター７２、ヒーター７０が、発光部７に設けられている。この結果、第１ヒーター７１、第２ヒーター７２、ヒーター７０に電流を供給すると、第１ヒーター７１、第２ヒーター７２、ヒーター７０が加熱して発光部７が温められるので、添加物のガス化が早く、蒸気圧が高くなり、放電状態が早く安定することとなる。また、サブ放電アーク９０またはメイン放電アーク９１の放電状態が安定した後において、発光部７が第１ヒーター７１、第２ヒーター７２、ヒーター７０により温められるので、発光部７の温度が上昇し、発光効率が向上されることとなる。【選択図】        図１
2005222739.tif 000002
【特許請求の範囲】
【請求項１】
放電空間が区画されている発光部を有する放電電球において、
前記放電空間中にはコモン電極、サブ電極、メイン電極が突設されており、
前記発光部には、複数個の加温手段が設けられている、
前記複数個の加温手段は、
前記発光部のうち、前記コモン電極と前記サブ電極との間において発生するサブ放電アークに対応する部分で、かつ、前記サブ放電アークから離れた部分に、設けられたサブ加温手段と、
前記発光部のうち、前記コモン電極と前記メイン電極との間において発生するメイン放電アークに対応する部分で、かつ、前記メイン放電アークから離れた部分に、設けられたメイン加温手段と、
からなる、
ことを特徴とする放電電球。
【請求項２】
放電電球の電流供給制御装置であって、
前記放電電球は、放電空間が区画されている発光部と、前記放電空間中に突設されたコモン電極およびサブ電極およびメイン電極と、前記発光部のうち前記コモン電極と前記サブ電極との間において発生するサブ放電アークに対応する部分でかつ前記サブ放電アークから離れた部分に設けられたサブ加温手段と、前記発光部のうち前記コモン電極と前記メイン電極との間において発生するメイン放電アークに対応する部分でかつ前記メイン放電アークから離れた部分に設けられたメイン加温手段と、から構成されており、
前記電流供給制御装置は、前記サブ放電アーク発生時には前記サブ加温手段を作動させ、前記メイン放電アーク発生時には前記メイン加温手段を作動させる制御手段を、備える、
ことを特徴とする放電電球の電流供給制御装置。
【請求項３】
放電電球の電流供給制御装置であって、
前記放電電球は、放電空間が区画されている発光部と、前記放電空間中に突設されたコモン電極およびサブ電極およびメイン電極と、前記発光部のうち前記コモン電極と前記サブ電極との間において発生するサブ放電アークに対応する部分でかつ前記サブ放電アークから離れた部分に設けられたサブ加温手段と、前記発光部のうち前記コモン電極と前記メイン電極との間において発生するメイン放電アークに対応する部分でかつ前記メイン放電アークから離れた部分に設けられたメイン加温手段と、から構成されており、
前記電流供給制御装置は、前記サブ放電アーク発生時には前記メイン加温手段を作動させ、前記メイン放電アーク発生時には前記サブ加温手段を作動させる制御手段を、備える、
ことを特徴とする放電電球の電流供給制御装置。
【請求項４】
放電電球の電流供給制御装置であって、
前記放電電球は、放電空間が区画されている発光部と、前記放電空間中に突設されたコモン電極およびサブ電極およびメイン電極と、前記発光部のうち前記コモン電極と前記サブ電極との間において発生するサブ放電アークに対応する部分でかつ前記サブ放電アークから離れた部分に設けられたサブ加温手段と、前記発光部のうち前記コモン電極と前記メイン電極との間において発生するメイン放電アークに対応する部分でかつ前記メイン放電アークから離れた部分に設けられたメイン加温手段と、から構成されており、
前記電流供給制御装置は、
前記コモン電極および前記サブ電極および前記メイン電極側と、前記サブ加温手段および前記メイン加温手段側とに、同一の電源から電流を供給する電流供給手段と、
前記サブ放電アークまたは前記メイン放電アークを発生させる前に、前記サブ加温手段またはおよび前記メイン加温手段を予備作動させる予備作動手段と、
前記サブ放電アークまたは前記メイン放電アークの発生開始時に、前記サブ加温手段またはおよび前記メイン加温手段の予備作動を停止させる予備作動停止手段と、
前記サブ放電アークまたは前記メイン放電アークの安定状態時に、前記サブ加温手段またはおよび前記メイン加温手段を本作動させる本作動手段と、
を備える、
ことを特徴とする放電電球の電流供給制御装置。
【請求項５】
放電電球の電流供給制御装置であって、
前記放電電球は、放電空間が区画されている発光部と、前記発光部に設けられた透明ヒーターまたはおよび不透明ヒーターから構成されている１個の加温手段と、から構成されており、
前記電流供給制御装置は、
前記放電電球の電極側と前記加温手段側とに同一の電源から電流を供給する電流供給手段と、
前記電極間において放電アークを発生させる前に前記加温手段を予備作動させる予備作動手段と、
前記放電アークの発生開始時に前記加温手段の予備作動を停止させる予備作動停止手段と、
前記放電アークの安定状態時に前記加温手段を本作動させる本作動手段と、
を備える、
ことを特徴とする放電電球の電流供給制御装置。
【発明の詳細な説明】
【技術分野】
【０００１】
この発明は、たとえば、自動車のヘッドランプやフォグランプなどの光源として使用される放電電球に関するものである。また、この発明は、たとえば、自動車のヘッドランプやフォグランプなどの光源として使用される放電電球の電流供給制御装置に関するものである。
【背景技術】
【０００２】
この種の放電電球は、従来からある（たとえば、特許文献１、特許文献２、特許文献３）。以下、従来の放電電球について説明する。この種の放電電球は、ガラス管と、複数の電極と、口金とを備える。前記ガラス管には、１個もしくは複数個の発光部とピンチシール部とがそれぞれ設けられている。前記１個もしくは複数個の発光部中には、放電空間が設けられている。前記放電空間中には、前記複数の電極の一端部が隙間を開けて配置されている。この複数の電極の他端部は、前記ピンチシール部中に気密保持されている。前記ガラス管は、前記口金に保持されている。また、前記複数の電極は、リード線を介して前記口金に接続されている。なお、前記放電空間中には、ハロゲン化金属、希ガス、水銀などの添加物（充填物）が封入されている。
【０００３】
そして、リード線を介して複数の電極に電圧をかけると、この複数の電極の一端部の間において放電アークが発生して発光部が発光する。前記口金をリフレクタに取り付けて、放電電球を自動車のヘッドランプやフォグランプなどの光源として使用すれば、前記発光部からの光がリフレクタの反射面で反射されて所定の配光パターンで路面に照射される。
【０００４】
前記の放電電球においては、放電状態が早く安定すること、また、放電状態安定後の発光効率が向上されることが重要である。前記の発光効率は、光束（ルーメン）を電力（ワット）で割った商で得られる。すなわち、発光効率＝光束÷電力である。また、前記の発光効率は、前記発光部の温度により決定される。すなわち、放電状態安定後の発光部のうち、最冷部（温度が他の分よりも低い部分であって、以下、最冷部と称する）の温度により、発光効率が決定されるものである。
【０００５】
ところが、前記従来の放電電球は、放電状態を早く安定させること、また、放電状態安定後の発光効率を向上させることについて何ら考慮されていない。
【０００６】
【特許文献１】実開平３−４０７５６号公報
【特許文献２】特開２００１−２１０２７２号公報
【特許文献３】特開２００１−２１０２７３号公報
【発明の開示】
【発明が解決しようとする課題】
【０００７】
この発明が解決しようとする問題点は、前記の従来の放電電球において、放電状態を早く安定させること、また、放電状態安定後の発光効率を向上させることについて何ら考慮されていない点にある。
【課題を解決するための手段】
【０００８】
請求項１に記載の発明（以下、発明１と称する）は、透明ヒーターまたはおよび不透明ヒーターから構成されている複数個の加温手段が発光部に設けられている、ことを特徴とする。
【０００９】
また、請求項２に記載の発明（以下、発明２と称する）は、放電空間が区画されている発光部と、前記放電空間中に突設されたコモン電極およびサブ電極およびメイン電極と、前記発光部のうち前記コモン電極と前記サブ電極との間において発生するサブ放電アークに対応する部分でかつ前記サブ放電アークから離れた部分に設けられたサブ加温手段と、前記発光部のうち前記コモン電極と前記メイン電極との間において発生するメイン放電アークに対応する部分でかつ前記メイン放電アークから離れた部分に設けられたメイン加温手段と、から構成されている放電電球の電流供給制御装置であって、前記サブ放電アーク発生時には前記サブ加温手段を作動させ、前記メイン放電アーク発生時には前記メイン加温手段を作動させる制御手段を、備えることを特徴とする。
【００１０】
また、請求項３に記載の発明（以下、発明３と称する）は、放電空間が区画されている発光部と、前記放電空間中に突設されたコモン電極およびサブ電極およびメイン電極と、前記発光部のうち前記コモン電極と前記サブ電極との間において発生するサブ放電アークに対応する部分でかつ前記サブ放電アークから離れた部分に設けられたサブ加温手段と、前記発光部のうち前記コモン電極と前記メイン電極との間において発生するメイン放電アークに対応する部分でかつ前記メイン放電アークから離れた部分に設けられたメイン加温手段と、から構成されている放電電球の電流供給制御装置であって、前記サブ放電アーク発生時には前記メイン加温手段を作動させ、前記メイン放電アーク発生時には前記サブ加温手段を作動させる制御手段を、備えることを特徴とする。
【００１１】
さらに、請求項４に記載の発明（以下、発明４と称する）は、放電空間が区画されている発光部と、前記放電空間中に突設されたコモン電極およびサブ電極およびメイン電極と、前記発光部のうち前記コモン電極と前記サブ電極との間において発生するサブ放電アークに対応する部分でかつ前記サブ放電アークから離れた部分に設けられたサブ加温手段と、前記発光部のうち前記コモン電極と前記メイン電極との間において発生するメイン放電アークに対応する部分でかつ前記メイン放電アークから離れた部分に設けられたメイン加温手段と、から構成されている放電電球の電流供給制御装置であって、前記コモン電極および前記サブ電極および前記メイン電極側と前記サブ加温手段および前記メイン加温手段側とに同一の電源から電流を供給する電流供給手段と、前記サブ放電アークまたは前記メイン放電アークを発生させる前に前記サブ加温手段またはおよび前記メイン加温手段を予備作動させる予備作動手段と、前記サブ放電アークまたは前記メイン放電アークの発生開始時に前記サブ加温手段またはおよび前記メイン加温手段の予備作動を停止させる予備作動停止手段と、前記サブ放電アークまたは前記メイン放電アークの安定状態時に前記サブ加温手段またはおよび前記メイン加温手段を本作動させる本作動手段と、を備えることを特徴とする。
【００１２】
さらにまた、請求項５に記載の発明（以下、発明５と称する）は、放電空間が区画されている発光部と、前記発光部に設けられた透明ヒーターまたはおよび不透明ヒーターから構成されている１個の加温手段と、から構成されている放電電球の電流供給制御装置であって、前記放電電球の電極側と前記加温手段側とに同一の電源から電流を供給する電流供給手段と、放電アークを発生させる前に前記加温手段を予備作動させる予備作動手段と、前記放電アークの発生開始時に前記加温手段の予備作動を停止させる予備作動停止手段と、前記放電アークの安定状態時に前記加温手段を本作動させる本作動手段と、を備えることを特徴とする。
【発明の効果】
【００１３】
この発明１の放電電球、および、この発明２、３、４、５の放電電球の電流供給制御装置は、加温手段、サブ加温手段、メイン加温手段のヒーターに電流を供給すると、ヒーターが加熱して発光部が温められるので、添加物のガス化が早く、蒸気圧が高くなり、その分、放電状態が早く安定することとなる。また、この発明１の放電電球、および、この発明２、３、４、５の放電電球の電流供給制御装置は、放電状態が安定した後において、発光部がヒーターにより温められるので、発光部の温度が上昇し、その分、発光効率が向上されることとなる。
【００１４】
特に、発明１の放電電球、および、この発明２、３、４の放電電球の電流供給制御装置は、複数個の加温手段のヒーターのうち所定のヒーターで発光部を部分的に温めるので、発光部全体を温める場合と比較して、消費電力を少なくすることができ、省エネルギーに貢献することができる。
【００１５】
また、発明２の放電電球の電流供給制御装置は、サブ放電アーク発生時にはサブ加温手段を作動させ、メイン放電アーク発生時にはメイン加温手段を作動させるので、発光部のうち放電アークが発生している部分がヒーターにより温められて、その部分において添加物が付着することを防止でき、光が発光部から透過する際の妨げとなるような虞がない。
【００１６】
さらにまた、発明３の放電電球の電流供給制御装置は、サブ放電アーク発生時にはメイン加温手段を作動させ、メイン放電アーク発生時にはサブ加温手段を作動させるので、発光部の放電空間のうち最冷部の温度がヒーターにより温められて上昇し、その分、添加物の蒸気圧を高め、発光効率や演色性が向上される。
【００１７】
さらにまた、発明４、５の放電電球の電流供給制御装置は、同一の電源から電極とヒーターに電流を供給するので、電源の数や組立配線の工程数を減らすことができ、その分、コストを安価にすることができる。
【発明を実施するための最良の形態】
【００１８】
以下に、この発明にかかる放電電球および放電電球の電流供給制御装置の実施例のうちの２例を図面に基づいて詳細に説明する。この２例の実施例は、自動車用のヘッドランプやフォグランプなどの光源として使用する例について説明する。なお、この２例の実施例によりこの発明が限定されるものではない。すなわち、この発明にかかる放電電球および放電電球の電流供給制御装置は、自動車用のヘッドランプやフォグランプなどの光源以外にも使用される。
【実施例１】
【００１９】
（実施例１の構成の説明）
図１〜図１０は、この発明にかかる放電電球および放電電球の電流供給制御装置の実施例１を示す。以下、この実施例１における放電電球および放電電球の電流供給制御装置の構成について説明する。
【００２０】
図中、符号Ｂは、この実施例１にかかる放電電球である。この実施例１にかかる放電電球Ｂは、図１に示すように、ガラス管１と、３つの電極、たとえば、コモン電極２、サブ電極３、メイン電極４と、３枚の金属箔５２、５３、５４と、３本のリード線６２、６３、６４と、口金（図示せず）とを備える。
【００２１】
前記ガラス管１は、中央部のほぼ回転楕円形状の発光部７と、この発光部７の中間と両端とにそれぞれ一体に設けられている３個のピンチシール部８２、８３、８４とを有する。前記３個のピンチシール部８２、８３、８４は、Ｔの字形状をなす。前記発光部７中には、１個の放電空間９が形成されている。
【００２２】
前記３枚の金属箔５２、５３、５４は、たとえば、モリブデン箔からなる。この３枚の金属箔５２、５３、５４のうち、１枚の金属箔５２は、中間のピンチシール部８２中に埋設されており、また、１枚の金属箔５３は、一端のピンチシール部８３中に埋設されており、さらに、残りの１枚の金属箔５４は、他端のピンチシール部８４中に埋設されている。
【００２３】
また、前記３つの電極２、３、４は、たとえば、タングステン製の丸棒（線）からなる。この３つの電極２、３、４の一端部２０、３０、４０は、ほぼ同一の大きさをなす。前記３つの電極２、３、４の一端部２０、３０、４０は、前記放電空間９中にそれぞれ突出し、かつ、隙間をあけてそれぞれ対向する。すなわち、前記コモン電極２の一端部２０が前記サブ電極３の一端部３０と前記メイン電極４の一端部４０との間に位置する。また、前記コモン電極２の一端部２０および前記サブ電極３の一端部３０および前記メイン電極４の一端部４０は、ほぼ直線をなす。このように、前記コモン電極２および前記サブ電極３および前記メイン電極４は、Ｔの字形状をなす。
【００２４】
前記コモン電極２の他端部２１は、前記中間のピンチシール部８２中に埋設され、かつ、前記１枚の金属箔５２に接続されている。また、前記サブ電極３の他端部３１は、前記一端のピンチシール部８３中に埋設され、かつ、前記他の１枚の金属箔５３に接続されている。さらに、前記メイン電極４の他端部４１は、前記他端のピンチシール部８４中に埋設され、かつ、前記残りの１枚の金属箔５４に接続されている。
【００２５】
さらに、前記３本のリード線６２、６３、６４は、たとえば、タングステン製またはモリブデン製の丸棒（線）からなる。この３本のリード線６２、６３、６４の一端部は、前記３個のピンチシール部８２、８３、８４中に埋設され、かつ、前記３枚の金属箔５２、５３、５４にそれぞれ接続されている。一方、この３本のリード線６２、６３、６４の他端部は、前記ガラス管１の３個のピンチシール部８２、８３、８４の外側に突出する。
【００２６】
図１に示すように、前記発光部７には、複数個、この例では、２個の加温手段としての第１ヒーター７１と第２ヒーター７２とがそれぞれ設けられている。前記第１ヒーター７１および前記第２ヒーター７２は、たとえば、透明導電膜などの透明ヒーター、または、不透明導電膜などの不透明ヒーターから構成されている。また、前記第１ヒーター７１および前記第２ヒーター７２には、リード線６０、６１および６５、６６がそれぞれ接続されている。なお、図１においては、理解しやすいように、第１ヒーター７１および第２ヒーター７２の肉厚を実際のものよりも厚く図示されている。
【００２７】
前記第１ヒーター７１は、前記発光部７のうち、前記コモン電極２と前記サブ電極３との間において発生するサブ放電アーク９０（図４、図６を参照）に対応する部分で、かつ、前記サブ放電アーク９０から離れた部分の外面（またはおよび内面）に、渦巻状に配線されて設けられている。この部分は、この例では、図１および図２に示すように、前記発光部７の前記中間のピンチシール部８２と前記一端のピンチシール部８３との間の下部分である。また、この部分は、後記メイン放電アーク９１発生時においては前記発光部７のうちの最冷部分となる。
【００２８】
一方、前記第２ヒーター７２は、前記発光部７のうち、前記コモン電極２と前記メイン電極４との間において発生するメイン放電アーク９１（図５、図７を参照）に対応する部分で、かつ、前記メイン放電アーク９１から離れた部分の外面（またはおよび内面）に、渦巻状に配線されて設けられている。この部分は、この例では、図１および図２に示すように、前記発光部７の前記中間のピンチシール部８２と前記他端のピンチシール部８４との間の下部分である。また、この部分は、前記サブ放電アーク９０発生時においては前記発光部７のうちの最冷部分となる。
【００２９】
前記ガラス管１を絶縁性の口金（図示せず）に固定し、前記３つの電極２、３、４のリード線６２、６３、６４と、第１ヒーター７１、第２ヒーター７２のリード線６０、６１、６５、６６とを、口金のターミナル（図示せず）に接続する。または、前記ガラス管１を内管とし、このガラス管１の外側に外ガラス管を設け、この外ガラス管により内管のガラス管１を保護する２重ガラス管構造となし、この２重ガラス管構造を絶縁性の口金に固定し、前記リード線６０〜６６を口金のターミナルに接続する。
【００３０】
このようにして、放電電球Ｂが構成される。口金をヘッドランプやフォグランプなどのリフレクタに着脱可能に取り付け、ターミナルにコネクタ（図示せず）を接続して、放電電球Ｂのリード線６０〜６６と電源１Ｂのリード線６９とを、制御回路１Ａおよびバラスト（図示せず）を介して接続する。すなわち、図３に示すように、コモン電極２のリード線６２と、第１ヒーター７１の一方のリード線６０と、第２ヒーター７２の一方のリード線６５とをそれぞれ接続して制御回路１Ａに接続する。また、他のリード線６１、６３、６４、６６をそれぞれ制御回路１Ａに接続する。これにより、放電電球Ｂは、ヘッドランプやフォグランプなどの光源として使用される。
【００３１】
前記制御回路１Ａは、この実施例１における電流供給制御装置であって、図８に示すように、制御手段切替手段２０Ａおよび第１制御手段２１Ａおよび第２制御手段２２Ａと、電流供給手段３Ａと、予備作動手段４Ａと、予備作動停止手段５Ａと、本作動手段６Ａとから構成されている。
【００３２】
前記制御手段切替手段２０Ａは、前記第１制御手段２１Ａの制御作動と前記第２制御手段２２Ａの制御作動とを切り替える手段である。
【００３３】
また、前記第１制御手段２１Ａは、前記サブ放電アーク９０発生時にはサブ加温手段としての前記第１ヒーター７１に電流を供給して前記第１ヒーター７１を作動させ、前記メイン放電アーク９１発生時にはメイン加温手段としての前記第２ヒーター７２に電流を供給して前記第２ヒーター７２を作動させる手段である。
【００３４】
さらに、前記第２制御手段２２Ａは、前記サブ放電アーク９０発生時にはメイン加温手段としての前記第２ヒーター７２に電流を供給して前記第２ヒーター７２を作動させ、前記メイン放電アーク９１発生時にはサブ加温手段としての前記第１ヒーター７１に電流を供給して前記第１ヒーター７１を作動させる手段である。
【００３５】
一方、前記電流供給手段３Ａは、前記リード線６０〜６６を介して、前記コモン電極２および前記サブ電極３および前記メイン電極４側と、前記第１ヒーター７１および前記第２ヒーター７２側とに、前記同一の電源１Ｂから電流を供給する手段である。
【００３６】
また、前記予備作動手段４Ａは、前記サブ放電アーク９０または前記メイン放電アーク９１を発生させる前に、前記第１ヒーター７１またはおよび前記第２ヒーター７２に電流を供給して前記第１ヒーター７１またはおよび前記第２ヒーター７２を予備作動させる手段である。
【００３７】
さらに、前記予備作動停止手段５Ａは、前記サブ放電アーク９０または前記メイン放電アーク９１の発生開始時に、前記サブ放電アーク９０または前記メイン放電アーク９１を発生させるためのスパークが前記第１ヒーター７１またはおよび前記第２ヒーター７２に通電してしまわないように、前記第１ヒーター７１またはおよび前記第２ヒーター７２への通電を一時的に遮断して前記第１ヒーター７１またはおよび前記第２ヒーター７２の予備作動を停止させる手段である。
【００３８】
さらにまた、前記本作動手段６Ａは、前記サブ放電アーク９０または前記メイン放電アーク９１の安定状態時に、前記第１ヒーター７１またはおよび前記第２ヒーター７２に電流を再度供給して前記第１ヒーター７１またはおよび前記第２ヒーター７２を本作動させる手段である。
【００３９】
図８に示すように、前記制御回路１Ａには、ローハイ切替スイッチＳ１と予備作動起動スイッチＳ２とがそれぞれ接続されている。前記ローハイ切替スイッチＳ１は、ライトスイッチであって、前記サブ放電アーク９０または前記メイン放電アーク９１を点灯消灯するＯＮＯＦＦスイッチであり、かつ、前記サブ放電アーク９０の発生と前記メイン放電アーク９１の発生とを切り替えるスイッチである。一方、前記予備作動起動スイッチＳ２は、前記予備作動手段４Ａの作動を起動させるためのスイッチである。前記予備作動起動スイッチＳ２としては、たとえば、自動車のドアの施錠、解錠を無線方式で自動的に行なう自動車の遠隔制御システム、より具体的に言えば、自動車に固有のコ−ドを割り当てられた電子キーすなわちエントリキー（携帯送受信機付き）、または、始動スイッチ（イグニションスイッチやアクセサリスイッチやエンジンスイッチや点火スイッチ）などである。
【００４０】
（実施例１の作用の説明）
この実施例１にかかる放電電球Ｂおよび放電電球の電流供給制御装置（制御回路１Ａ）は、以上のごとき構成からなり、以下、その作用について図９および図１０を参照して説明する。図９は、制御回路１Ａの第１作用（第１工程処理の手順）を示すフローチャートである。図１０は、制御回路１Ａの第２作用（第２工程処理の手順）を示すフローチャートである。
【００４１】
まず、図９に示す制御回路１Ａの第１作用（第１制御手段２１Ａと第２制御手段２２Ａとの切替作用、および、ロービーム（すれ違いビーム）とハイビーム（走行ビーム）との切替作用について説明する。
【００４２】
たとえば、自動車の始動スイッチ（図示せず）をＯＮする。すると、制御回路１Ａは、最初の工程の（制御手段切替手段２０Ａは、第１制御手段２１Ａに切り替えたか？  Ｓ１）を判断する。
【００４３】
ここで、ドライバーが制御手段切替手段２０Ａを介して第１制御手段２１Ａに切り替えているとする。すると、制御回路１Ａは、制御手段切替手段２０Ａが第１制御手段２１Ａに切り替えた、と判断して、次の工程の（ローハイ切替スイッチＳ１は、ローに切り替えたか？  Ｓ２）を判断する。
【００４４】
ここで、ドライバーがローハイ切替スイッチＳ１をローに切り替えているとする。すると、制御回路１Ａは、第１制御手段２１Ａにおいて、ローハイ切替スイッチＳ１がローに切り替えた、と判断して、次の工程（電流は、コモン電極２と、サブ電極３と、第１ヒーター７１とに、それぞれ供給される。  Ｓ３）に進む。
【００４５】
これにより、制御回路１Ａは、図４に示すように、電流供給手段３Ａ、リード線６０、６１、６２、６３を介して、コモン電極２と、サブ電極３と、第１ヒーター７１とに、電流（弱電流）を、それぞれ供給する。すると、第１ヒーター７１が加熱して発光部７が温められる。これと同時に、コモン電極２とサブ電極３とに電圧が印加されて、コモン電極２の一端部２０とサブ電極３の一端部３０との間においてサブ放電アーク９０が発生し、発光部７が発光する。この発光部７からの光がリフレクタの反射面で反射されてロービームが得られて路面に照射される。このロービームにより、すれ違い用の配光パターンが得られる。そして、制御回路１Ａは、（Ｓ１）に戻る。
【００４６】
前記の工程（Ｓ２）において、ドライバーがローハイ切替スイッチＳ１をハイに切り替えているとする。すると、制御回路１Ａは、第１制御手段２１Ａにおいて、ローハイ切替スイッチＳ１がハイに切り替えた、と判断して、次の工程（電流は、コモン電極２と、メイン電極４と、第２ヒーター７２とに、それぞれ供給される。  Ｓ４）に進む。
【００４７】
これにより、制御回路１Ａは、図５に示すように、電流供給手段３Ａ、リード線６２、６４、６５、６６を介して、コモン電極２と、メイン電極４と、第２ヒーター７２とに、電流（弱電流）を、それぞれ供給する。すると、第２ヒーター７２が加熱して発光部７が温められる。これと同時に、コモン電極２とメイン電極４とに電圧が印加されて、コモン電極２の一端部２０とメイン電極４の一端部４０との間においてメイン放電アーク９１が発生し、発光部７が発光する。この発光部７からの光がリフレクタの反射面で反射されてハイビームが得られて路面に照射される。このハイビームにより、走行用の配光パターンが得られる。そして、制御回路１Ａは、（Ｓ１）に戻る。
【００４８】
前記の工程（Ｓ１）において、ドライバーが制御手段切替手段２０Ａを介して第２制御手段２２Ａに切り替えているとする。すると、制御回路１Ａは、制御手段切替手段２０Ａが第２制御手段２２Ａに切り替えた、と判断して、次の工程の（ローハイ切替スイッチＳ１は、ローに切り替えたか？  Ｓ５）を判断する。
【００４９】
ここで、ドライバーがローハイ切替スイッチＳ１をローに切り替えているとする。すると、制御回路１Ａは、第２制御手段２２Ａにおいて、ローハイ切替スイッチＳ１がローに切り替えた、と判断して、次の工程（電流は、コモン電極２と、サブ電極３と、第２ヒーター７２とに、それぞれ供給される。  Ｓ６）に進む。
【００５０】
これにより、制御回路１Ａは、図６に示すように、電流供給手段３Ａ、リード線６２、６３、６５、６６を介して、コモン電極２と、サブ電極３と、第２ヒーター７２とに、電流（弱電流）を、それぞれ供給する。すると、第２ヒーター７２が加熱して発光部７が温められる。これと同時に、コモン電極２とサブ電極３とに電圧が印加されて、コモン電極２の一端部２０とサブ電極３の一端部３０との間においてサブ放電アーク９０が発生し、発光部７が発光する。この発光部７からの光がリフレクタの反射面で反射されてロービームが得られて路面に照射される。このロービームにより、すれ違い用の配光パターンが得られる。そして、制御回路１Ａは、（Ｓ１）に戻る。
【００５１】
前記の工程（Ｓ５）において、ドライバーがローハイ切替スイッチＳ１をハイに切り替えているとする。すると、制御回路１Ａは、第２制御手段２２Ａにおいて、ローハイ切替スイッチＳ１がハイに切り替えた、と判断して、次の工程（電流は、コモン電極２と、メイン電極４と、第１ヒーター７１とに、それぞれ供給される。  Ｓ７）に進む。
【００５２】
これにより、制御回路１Ａは、図７に示すように、電流供給手段３Ａ、リード線６０、６１、６２、６４を介して、コモン電極２と、メイン電極４と、第１ヒーター７１とに、電流（弱電流）を、それぞれ供給する。すると、第１ヒーター７１が加熱して発光部７が温められる。これと同時に、コモン電極２とメイン電極４とに電圧が印加されて、コモン電極２の一端部２０とメイン電極４の一端部４０との間においてメイン放電アーク９１が発生し、発光部７が発光する。この発光部７からの光がリフレクタの反射面で反射されてハイビームが得られて路面に照射される。このハイビームにより、走行用の配光パターンが得られる。そして、制御回路１Ａは、（Ｓ１）に戻る。これで、図９に示す制御回路１Ａの第１作用が終了する。
【００５３】
つぎに、図１０に示す制御回路１Ａの第２作用（予備作動手段４Ａの作用および予備作動停止手段５Ａの作用および本作動手段６Ａの作用）について説明する。
【００５４】
制御回路１Ａは、最初の工程の（予備作動起動スイッチＳ２は、ＯＮか？  Ｓ１１）を判断する。ここで、予備作動起動スイッチＳ２がＯＦＦの状態であれば、制御回路１Ａは、スタート→工程（Ｓ１１）に戻る。一方、予備作動起動スイッチＳ２がＯＮの状態であれば、制御回路１Ａは、次の工程（予備作動手段４Ａは、作動する。  Ｓ１２）に進む。
【００５５】
これにより、制御回路１Ａは、予備作動手段４Ａを作動させる。この予備作動手段４Ａは、サブ放電アーク９０またはメイン放電アーク９１を発生させる前に、第１ヒーター７１またはおよび第２ヒーター７２に電流を供給して第１ヒーター７１またはおよび第２ヒーター７２を予備作動させる。すなわち、第１ヒーター７１またはおよび第２ヒーター７２を予備加熱させて、発光部７を予備的に温めておく。
【００５６】
制御回路１Ａは、前記の工程（Ｓ１２）から次の工程の（ローハイ切替スイッチＳ１は、ＯＮか？  Ｓ１３）を判断する。ここで、ローハイ切替スイッチＳ１がＯＦＦの状態であれば、制御回路１Ａは、工程（Ｓ１２）→（Ｓ１３）に戻る。一方、ローハイスイッチＳ１がＯＮの状態であれば、制御回路１Ａは、次の工程（予備作動停止手段５Ａは、作動する。  Ｓ１４）に進む。
【００５７】
これにより、制御回路１Ａは、予備作動停止手段５Ａを作動させる。この予備作動停止手段５Ａは、サブ放電アーク９０またはメイン放電アーク９１の発生開始時に、サブ放電アーク９０またはメイン放電アーク９１発生のためのスパークが第１ヒーター７１またはおよび第２ヒーター７２に通電してしまわないように、第１ヒーター７１またはおよび第２ヒーター７２への通電を一時的に遮断して第１ヒーター７１またはおよび第２ヒーター７２の予備作動を停止させる。
【００５８】
制御回路１Ａは、前記の工程（Ｓ１４）から次の工程の（サブ放電アーク９０、または、メイン放電アーク９１の状態は、安定状態か？  Ｓ１５）を判断する。ここで、サブ放電アーク９０またはメイン放電アーク９１の状態が不安定状態であれば、制御回路１Ａは、工程（Ｓ１４）→（Ｓ１５）に戻る。一方、サブ放電アーク９０またはメイン放電アーク９１の状態が安定状態であれば、制御回路１Ａは、次の工程（本作動手段６Ａは、作動する。  Ｓ１６）に進む。
【００５９】
これにより、制御回路１Ａは、本作動手段６Ａを作動させる。この本作動手段６Ａは、サブ放電アーク９０またはメイン放電アーク９１の安定状態時に、第１ヒーター７１またはおよび第２ヒーター７２に電流を再度供給して第１ヒーター７１またはおよび第２ヒーター７２を本作動させる。すなわち、第１ヒーター７１またはおよび第２ヒーター７２を本加熱させて、発光部７を常時温めておく。
【００６０】
そして、制御回路１Ａは、前記の工程（Ｓ１６）から工程（Ｓ１１）に戻る。これで、図１０に示す制御回路１Ａの第２作用が終了する。
【００６１】
（実施例１の効果の説明）
この実施例１にかかる放電電球Ｂおよび放電電球の電流供給制御装置（制御回路１Ａ）は、以上のごとき構成および作用からなり、以下、その効果について説明する。
【００６２】
この実施例１にかかる放電電球Ｂおよび放電電球の電流供給制御装置は、第１ヒーター７１またはおよび第２ヒーター７２に電流を供給すると、第１ヒーター７１またはおよび第２ヒーター７２が加熱して発光部７が温められるので、添加物のガス化が早く、蒸気圧が高くなり、その分、放電状態が早く安定することとなる。
【００６３】
また、この実施例１にかかる放電電球Ｂおよび放電電球の電流供給制御装置は、サブ放電アーク９０またはメイン放電アーク９１の放電状態が安定した後において、発光部７が第１ヒーター７１またはおよび第２ヒーター７２により温められるので、発光部７の温度が上昇し、その分、発光効率が向上されることとなる。
【００６４】
さらに、この実施例１にかかる放電電球Ｂおよび放電電球の電流供給制御装置は、２個の加温手段としての第１ヒーター７１、第２ヒーター７２のうち所定のヒーターで発光部７を部分的に温めるので、発光部７全体を温める場合と比較して、消費電力を少なくすることができ、省エネルギーに貢献することができる。
【００６５】
さらにまた、この実施例１にかかる放電電球Ｂおよび放電電球の電流供給制御装置は、サブ放電アーク９０の発生時には第１ヒーター７１を加熱させ、メイン放電アーク９１の発生時には第２ヒーター７２を加熱させるので、発光部７のうち放電アークが発生している部分が第１ヒーター７１または第２ヒーターにより温められて、その部分において添加物が付着することを防止でき、光が発光部７から透過する際の妨げとなるような虞がない。
【００６６】
さらにまた、この実施例１にかかる放電電球Ｂおよび放電電球の電流供給制御装置は、サブ放電アーク９０の発生時には第２ヒーター７２を加熱させ、メイン放電アーク９１の発生時には第２ヒーター７２を加熱させるので、発光部７の放電空間のうち最冷部の温度が第１ヒーター７１または第２ヒーター７２により温められて上昇し、その分、添加物の蒸気圧を高め、発光効率や演色性が向上される。
【００６７】
また、この実施例１にかかる放電電球Ｂおよび放電電球の電流供給制御装置は、同一の電源１Ｂから、制御回路１Ａおよびリード線６０〜６６を介して、コモン電極２およびサブ電極３およびメイン電極４側と、第１ヒーター７１および第２ヒーター７２側とに、電流を供給するので、電源の数や組立配線の工程数を減らすことができ、その分、コストを安価にすることができる。
【００６８】
さらに、この実施例１にかかる放電電球Ｂおよび放電電球の電流供給制御装置は、サブ加温手段としての第１ヒーター７１およびメイン加温手段としての第２ヒーター７２に、透明導電膜などの透明ヒーターを使用すれば、光が発光部７から第１ヒーター７１および第２ヒーター７２を透過する際の妨げとなるような虞がない。
【００６９】
さらにまた、この実施例１にかかる放電電球Ｂおよび放電電球の電流供給制御装置は、サブ加温手段としての第１ヒーター７１およびメイン加温手段としての第２ヒーター７２に、不透明導電膜などの不透明ヒーターを使用すれば、発光部７のうち不透明な第１ヒーター７１および第２ヒーター７２を設けた部分からの光を遮断もしくは減らしたい場合には最適である。
【００７０】
（実施例１以外の例の説明）
なお、この実施例１にかかる放電電球Ｂは、図１および図２に示す構造の放電電球であって、サブ放電アーク９０とメイン放電アーク９１とが得られる放電電球である。ところが、この発明においては、図１および図２に示す構造以外の放電電球であっても良い。たとえば、この出願人が先に出願した放電電球（特願２００２−１９６４３５、特願２００２−１９６４３６、特願２００２−１９６４３８、特願２００２−２２５６５１、特願２００２−２２５６５２、特願２００２−２２５６５３、特願２００２−２２９５５６、特願２００２−２２９５５７、特願２００２−２３４８５５、特願２００２−２３４８５４、特願２００２−２５３４７５、特願２００２−２５３４７６）であっても良い。
【００７１】
また、この実施例１にかかる放電電球の電流供給制御装置（制御回路１Ａ）は、制御回路１Ａの第１作用であって第１制御手段２１Ａの作用と、制御回路１Ａの第１作用であって第２制御手段２２Ａの作用と、制御回路１Ａの第２作用とが組み合わせられたものである。ところが、この発明においては、制御回路１Ａの第１作用であって第１制御手段２１Ａの作用と、制御回路１Ａの第１作用であって第２制御手段２２Ａの作用と、制御回路１Ａの第２作用とをそれぞれ別個であっても良い。しかも、この発明においては、制御回路１Ａの第１作用であって第１制御手段２１Ａの作用と、制御回路１Ａの第１作用であって第２制御手段２２Ａの作用とを組み合わせても良いし、制御回路１Ａの第１作用であって第１制御手段２１Ａの作用と、制御回路１Ａの第２作用とを組み合わせても良いし、制御回路１Ａの第１作用であって第２制御手段２２Ａの作用と、制御回路１Ａの第２作用とを組み合わせても良い。
【実施例２】
【００７２】
（実施例２の説明）
図１１〜図１６は、この発明にかかる放電電球および放電電球の電流供給制御装置の実施例２を示す。図中、図１〜図１０と同符号は、同一のものを示す。
【００７３】
以下、この実施例２における放電電球および放電電球の電流供給制御装置の構成について説明する。この実施例２における放電電球２Ｂは、図１１および図１２に示すように、発光部７に１個の加温手段としてのヒーター７０が設けられている。前記ヒーター７０は、たとえば、不透明導電膜などの不透明ヒーターから構成されている。前記ヒーター７０には、リード線６７、６８がそれぞれ接続されている。なお、図１１においては、理解しやすいように、ヒーター７０の肉厚を実際のものよりも厚く図示されている。
【００７４】
前記ヒーター７０は、発光部７のうち、サブ放電アーク９０（図１４を参照）およびメイン放電アーク９１（図１５を参照）から離れた部分の外面（またはおよび内面）に、中間のピンチシール部８２を中心（目）として、渦巻状に配線されて設けられている。この部分は、サブ放電アーク９０またはメイン放電アーク９１の発生時においては前記発光部７のうちの最冷部分となる。
【００７５】
前記放電電球２Ｂのガラス管１を絶縁性の口金（図示せず）に固定し、前記３つの電極２、３、４のリード線６２、６３、６４と、ヒーター７０のリード線６７、６８とを、口金の他のコネクタ（図示せず）に接続する。または、前記ガラス管１を内管とし、このガラス管１の外側に外ガラス管を設け、この外ガラス管により内管のガラス管１を保護する２重ガラス管構造となし、この２重ガラス管構造を絶縁性の口金に固定し、前記リード線６２、６３、６４、６７、６８を口金のターミナルに接続する。
【００７６】
このようにして、放電電球２Ｂが構成される。口金をヘッドランプやフォグランプなどのリフレクタに着脱可能に取り付け、ターミナルにコネクタ（図示せず）を接続して、放電電球２Ｂのリード線６２、６３、６４、６７、６８と電源１Ｂとを、制御回路１Ｃおよびバラスト（図示せず）を介して接続する。すなわち、図１３に示すように、コモン電極２のリード線６２と、ヒーター７０の一方のリード線６７とをそれぞれ接続して制御回路１Ｃに接続する。また、他のリード線６３、６４、６８をそれぞれ制御回路１Ｃに接続する。これにより、放電電球２Ｂは、ヘッドランプやフォグランプなどの光源として使用される。
【００７７】
前記制御回路１Ｃは、この実施例２における電流供給制御装置であって、図１６に示すように、電流供給手段３Ａと、予備作動手段４Ａと、予備作動停止手段５Ａと、本作動手段６Ａとから構成されている。すなわち、この実施例２の制御回路１Ｃは、１個のヒーター７０に電流を供給制御するものであるから、２個のヒーター７１、７２に電流を供給制御する前記の実施例１の制御回路１Ａのうち、制御手段切替手段２０Ａおよび第１制御手段２１Ａおよび第２制御手段２２Ａが不要となる。
【００７８】
以下、この実施例２における放電電球２Ｂおよび放電電球の電流供給制御装置（制御回路１Ｃ）の作用について説明する。まず、制御回路１Ｃの第１作用について説明する。
【００７９】
ローハイ切替スイッチＳ１をローに切り替える。すると、制御回路１Ｃは、図１４に示すように、電流供給手段３Ａ、リード線６２、６３、６７、６８を介して、コモン電極２と、サブ電極３と、ヒーター７０とに、電流（弱電流）を、それぞれ供給する。すると、ヒーター７０が加熱して発光部７が温められる。これと同時に、コモン電極２とサブ電極３とに電圧が印加されて、コモン電極２の一端部２０とサブ電極３の一端部３０との間においてサブ放電アーク９０が発生し、発光部７が発光する。この発光部７からの光がリフレクタの反射面で反射されてロービームが得られて路面に照射される。このロービームにより、すれ違い用の配光パターンが得られる。
【００８０】
また、ローハイ切替スイッチＳ１をハイに切り替える。すると、制御回路１Ｃは、図１５に示すように、電流供給手段３Ａ、リード線６２、６４、６７、６８を介して、コモン電極２と、メイン電極４と、ヒーター７０とに、電流（弱電流）を、それぞれ供給する。すると、ヒーター７０が加熱して発光部７が温められる。これと同時に、コモン電極２とメイン電極４とに電圧が印加されて、コモン電極２の一端部２０とメイン電極４の一端部４０との間においてメイン放電アーク９１が発生し、発光部７が発光する。この発光部７からの光がリフレクタの反射面で反射されてハイビームが得られて路面に照射される。このハイビームにより、走行用の配光パターンが得られる。
【００８１】
つぎに、制御回路１Ｃの第２作用について説明する。この制御回路１Ｃの第２作用は、前記の実施例１の制御回路１Ａの第２作用とほぼ同様の作用である。すなわち、予備作動起動スイッチＳ２をＯＮする。すると、制御回路１Ｃは、予備作動手段４Ａを作動させる。この予備作動手段４Ａは、サブ放電アーク９０またはメイン放電アーク９１を発生させる前に、ヒーター７０に電流を供給してヒーター７０を予備加熱させて、発光部７を予備的に温めておく。
【００８２】
ここで、ローハイスイッチＳ１をＯＮする。すると、制御回路１Ｃは、予備作動停止手段５Ａを作動させる。この予備作動停止手段５Ａは、サブ放電アーク９０またはメイン放電アーク９１の発生開始時に、サブ放電アーク９０またはメイン放電アーク９１発生のためのスパークがヒーター７０に通電してしまわないように、ヒーター７０への通電を一時的に遮断してヒーター７０の予備作動を停止させる。
【００８３】
ここで、サブ放電アーク９０またはメイン放電アーク９１の状態が安定する。すると、制御回路１Ａは、本作動手段６Ａを作動させる。この本作動手段６Ａは、サブ放電アーク９０またはメイン放電アーク９１の安定状態時に、ヒーター７０に電流を再度供給してヒーター７０を本加熱させて、発光部７を常時温めておく。
【００８４】
以下、この実施例２における放電電球２Ｂおよび放電電球の電流供給制御装置（制御回路１Ｃ）の効果について説明する。
【００８５】
この実施例２にかかる放電電球２Ｂおよび放電電球の電流供給制御装置は、ヒーター７０に電流を供給すると、ヒーター７０が加熱して発光部７が温められるので、添加物のガス化が早く、蒸気圧が高くなり、その分、放電状態が早く安定することとなる。
【００８６】
また、この実施例２にかかる放電電球２Ｂおよび放電電球の電流供給制御装置は、サブ放電アーク９０またはメイン放電アーク９１の放電状態が安定した後において、発光部７の下部の最冷部がヒーター７０により温められるので、発光部７の最冷部の温度が上昇し、その分、発光効率が向上されることとなる。
【００８７】
さらに、この実施例２にかかる放電電球２Ｂおよび放電電球の電流供給制御装置は、同一の電源１Ｂから、制御回路１Ｃおよびリード線６２、６３、６４、６７、６８を介して、コモン電極２およびサブ電極３およびメイン電極４側と、ヒーター７０側とに、電流を供給するので、電源の数や組立配線の工程数を減らすことができ、その分、コストを安価にすることができる。
【００８８】
さらにまた、この実施例２にかかる放電電球２Ｂおよび放電電球の電流供給制御装置は、加温手段としてのヒーター７０に、不透明導電膜などの不透明ヒーターを使用するので、発光部７のうち不透明なヒーター７０を設けた部分からの光を遮断もしくは減らしたい場合には最適である。
【００８９】
（実施例２以外の例の説明）
なお、この実施例２にかかる放電電球２Ｂは、図１１および図１２に示す構造の放電電球であって、サブ放電アーク９０とメイン放電アーク９１とが得られる、いわゆるダブルアークの放電電球である。ところが、この発明においては、図１１および図１２に示す構造以外の放電電球であっても良い。たとえば、この出願人が先に出願した、いわゆるダブルアークの放電電球やシングルアークの放電電球（特願２００２−１９６４３５、特願２００２−１９６４３６、特願２００２−１９６４３７、特願２００２−１９６４３８、特願２００２−２２５６５１、特願２００２−２２５６５２、特願２００２−２２５６５３、特願２００２−２２９５５６、特願２００２−２２９５５７、特願２００２−２３４８５５、特願２００２−２３４８５４、特願２００２−２５３４７５、特願２００２−２５３４７６）であっても良い。
【００９０】
（実施例１、２以外の例の説明）
なお、前記の実施例１、２においては、３つの電極２、３、４の一端部２０、３０、４０の大きさをほぼ同一とするものである。ところが、この発明においては、３つの電極２、３、４の一端部２０、３０、４０の大きさを、使用頻度すなわち溶融劣化の大きさに合わせて、コモン電極２の一端部２０、サブ電極３の一端部３０、メイン電極４の一端部４０の順に大きくしても良い。この場合においては、３つの電極２、３、４の一端部２０、３０、４０の溶融劣化をほぼ均一にすることができるので、放電電球Ｂ、２Ｂの耐久性を向上され、放電電球Ｂ、２Ｂの長寿命化が図られる。
【００９１】
また、前記の実施例１、２においては、３つの電極２、３、４の一端部２０、３０、４０の大きさをほぼ同一とするものである。ところが、この発明においては、３つの電極２、３、４の一端部２０、３０、４０の先端を尖端構造としても良い。この場合においては、３つの電極２、３、４の一端部２０、３０、４０の尖端から電子が飛び易く、放電効率が良くなるので、起動電圧を低くすることができ、その分、起動回路を始めとする電気回路への負荷を小さくすることができ、電気回路の耐久性が向上される。
【００９２】
さらに、前記の実施例１、２において、３つの電極２、３、４の一端部２０、３０、４０にヒートシンク構造を設けても良い。この場合においては、ヒートシンクの作用効果により、放電作用で電極が加熱されても、その熱が電極から効率よく放散されるので、電極の溶融劣化が防止され、放電電球の電極の耐久性が向上される。
【００９３】
さらにまた、前記の実施例１、２においては、電極２、３、４がピンチシール部８２、８３、８４において金属箔５２、５３、５４を介してリード線６２、６３、６４に接続されているものである。ところが、この発明においては、金属箔を使用せずに電極とリード線とが一体構造のものを使用しても良い。
【００９４】
さらにまた、前記の実施例１、２において、ガラス管１またはおよび２重ガラス管構造の外ガラス管に、たとえば、青色や黄色などの着色塗装を施しても良い。この着色塗装により、放電アークによる発光部７からの光（可視光）の色温度を任意に変化（上昇、降下）させることができる。たとえば、発光部７からの光を、人間の目に最も感度が良い光の１つである白色光（太陽光）に、または、感度が若干低下するがデザイン上の差別化が図られる青色光に、または、フォグランプに適した黄色光などに、変化させることができる。
【００９５】
さらにまた、前記の実施例１、２においては、リード線を絶縁性たとえばセラミック製の外管により覆って、誤放電を防止できるように構成しても良い。
【図面の簡単な説明】
【００９６】
【図１】この発明の放電電球の実施例１を示す断面図である。
【図２】図１におけるＩＩ線矢視図である。
【図３】この発明の放電電球および放電電球の電流供給制御装置の実施例１を示す電気回路図である。
【図４】同じく、コモン電極およびサブ電極および第１ヒーターに電流を供給している状態を示す電気回路図である。
【図５】同じく、コモン電極およびメイン電極および第２ヒーターに電流を供給している状態を示す電気回路図である。
【図６】同じく、コモン電極およびサブ電極および第２ヒーターに電流を供給している状態を示す電気回路図である。
【図７】同じく、コモン電極およびメイン電極および第１ヒーターに電流を供給している状態を示す電気回路図である。
【図８】この発明の放電電球の電流供給制御装置の実施例１を示す構成ブロック図である。
【図９】同じく、放電電球の電流供給制御装置（制御回路）の第１作用の工程処理手順を示すフローチャートである。
【図１０】同じく、放電電球の電流供給制御装置（制御回路）の第２作用の工程処理手順を示すフローチャートである。
【図１１】この発明の放電電球の実施例２を示す断面図である。
【図１２】図１１におけるＸＩＩ線矢視図である。
【図１３】この発明の放電電球および放電電球の電流供給制御装置の実施例２を示す電気回路図である。
【図１４】同じく、コモン電極およびサブ電極およびヒーターに電流を供給している状態を示す電気回路図である。
【図１５】同じく、コモン電極およびメイン電極およびヒーターに電流を供給している状態を示す電気回路図である。
【図１６】この発明の放電電球の電流供給制御装置の実施例２を示す構成ブロック図である。
【符号の説明】
【００９７】
Ｂ、２Ｂ  放電電球
１  ガラス管
２  コモン電極
３  サブ電極
４  メイン電極
２０、３０、４０  一端部
２１、３１、４１  他端部
５２、５３、５４  金属箔
６０、６１、６２、６３、６４、６５、６６、６７、６８、６９  リード線
７  発光部
７０  ヒーター（加温手段）
７１  第１ヒーター（サブ加温手段）
７２  第２ヒーター（メイン加温手段）
８２、８３、８４  ピンチシール部
９  放電空間
９０  サブ放電アーク
９１  メイン放電アーク
１Ａ、１Ｃ  制御回路（放電電球の電流供給制御装置）
１Ｂ  電源
２０Ａ  制御手段切替手段
２１Ａ  第１制御手段
２２Ａ  第２制御手段
３Ａ  電流供給手段
４Ａ  予備作動手段
５Ａ  予備作動停止手段
６Ａ  本作動手段
Ｓ１  ローハイ切替スイッチ
Ｓ２  予備作動起動スイッチ
【図１】
2005222739.tif 000003
【図２】
2005222739.tif 000004
【図３】
2005222739.tif 000005
【図４】
2005222739.tif 000006
【図５】
2005222739.tif 000007
【図６】
2005222739.tif 000008
【図７】
2005222739.tif 000009
【図８】
2005222739.tif 000010
【図９】
2005222739.tif 000011
【図１０】
2005222739.tif 000012
【図１１】
2005222739.tif 000013
【図１２】
2005222739.tif 000014
【図１３】
2005222739.tif 000015
【図１４】
2005222739.tif 000016
【図１５】
2005222739.tif 000017
【図１６】
2005222739.tif 000018